(57)【要約】【課題】写真撮影、テレビ撮影、映画撮影などで使う撮影用照明装置において、ライティングによる高い演出効果を得る。【解決手段】光源装置１の発光面１１の前面に光拡散部としてのソフトボックス２を取り付ける。ソフトボックス２の開口部２ａにあるディフューザ２２の前面に、本体枠３を取付用紐３２により取り付ける。図柄５１を形成したカットフィルム５をフィルムホルダ４に取り付ける。フィルムホルダ４を本体枠３の開口３１２ａの位置に配設する。光源装置１を点灯して、図柄５１の発光パターンを人の瞳孔部分に写し込んで撮影する。【選択図】図１
0003125316.tif 000002
【実用新案登録請求の範囲】
【請求項１】
発光部と、
該発光部からの光を分散して発光する面光源を形成する面光源形成部と、
透光部と遮光部とで形成された図柄のパターンを有し前記面光源形成部の面光源の前面に配置される図柄形成部と、
を備えたことを特徴とする撮影用照明装置。
【請求項２】
前記図柄形成部が、前記面光源形成部の前記面光源に対応する部分に開口部を有する枠部材と、該枠部材の開口部に着脱自在に配設され前記図柄のパターンを有するフィルム状部材とで構成されていることを特徴とする請求項１に記載の撮影用照明装置。
【請求項３】
前記図柄形成部が前記面光源形成部に対して着脱自在となっていることを特徴とする請求項１または２に記載の撮影用照明装置。
【考案の詳細な説明】
【技術分野】
【０００１】
本考案は、写真撮影、テレビ撮影、映画撮影などにおいて被写体にライティングを行うための撮影用照明装置に関する。
【背景技術】
【０００２】
従来、この種の撮影用照明装置には、光源部として瞬間光でライティングするフラッシュ光源が用いられる。また、光源部の前面に半透明のディフューザを設け、このディフューザで乱反射した光を被写体に照明するものが一般的である。このような装置として、例えば実開昭６０−１８４０３５号公報（特許文献１）に開示されたもがある。
【０００３】
また、カメラに内蔵されたストロボ装置として、例えば特開２００１−１３３８５９号公報（特許文献２）、特開２００３−１８６０９０号公報（特許文献３）に開示されたものがあり、これらの従来のストロボ装置ではマスクやフィルタによりストロボ光を調光するようにしている。
【特許文献１】実開昭６０−１８４０３５号公報
【特許文献２】特開２００１−１３３８５９号公報
【特許文献３】特開２００３−１８６０９０号公報
【考案の開示】
【考案が解決しようとする課題】
【０００４】
前記のように、従来の照明装置は、ディフューザやマスクあるいはフィルタを用いることで、被写体に対するライティング光の明るさのバランス調整や適正光量の調整、あるいは色調整等を行うものである。
【０００５】
しかしながら、これら従来の照明装置では、ライティングによる演出効果までは考慮されていなかった。なお、特許文献２にはマスクに特殊効果を狙って星形やハート型等を用いることについて開示されているが、このようなカメラに内蔵されたストロボ装置では、光源が小さくその小さな発光部にマスクを設けるだけでは演出効果を得るには改良の余地がある。
【０００６】
本考案は、撮影時のライティングによる演出効果が得られる撮影用照明装置を提供することを課題とする。
【課題を解決するための手段】
【０００７】
請求項１の撮影用照明装置は、発光部と、該発光部からの光を分散して発光する面光源を形成する面光源形成部と、透光部と遮光部とで形成された図柄のパターンを有し前記面光源形成部の面光源の前面に配置される図柄形成部と、を備えたことを特徴とする。
【０００８】
請求項２の撮影用照明装置は、請求項１に記載の撮影用照明装置であって、前記図柄形成部が、前記面光源形成部の前記面光源に対応する部分に開口部を有する枠部材と、該枠部材の開口部に着脱自在に配設され前記図柄のパターンを有するフィルム状部材とで構成されていることを特徴とする。
【０００９】
請求項３の撮影用照明装置は、請求項１または２に記載の撮影用照明装置であって、前記図柄形成部が前記面光源形成部に対して着脱自在となっていることを特徴とする。
【考案の効果】
【００１０】
請求項１の撮影用照明装置によれば、発光部からの光が面光源形成部で分散して前記面光源で発光し、この面光源の前面の図柄形成部により、面光源上で図柄のパターンの透光部のみが発光するので、被写体である例えば人物の瞳孔及び虹彩の部分に発光するパターンが写り込む。したがって、面白みのある写真等が得られライティングによる高い演出効果が得られる。
【００１１】
請求項２の撮影用照明装置によれば、請求項１の効果に加えて、枠部材に対してフィルム部材が着脱自在となっているので、フィルム部材を取り替えるだけで簡単にパターンを変えることができ、さらに多様な効果が得られる。
【００１２】
請求項３の撮影用照明装置によれば、請求項１または２の効果に加えて、図柄形成部が面光源形成部に対して着脱自在となっているので、面光源形成部に例えばディフューザを設けて面光源を構成している場合でも、このディフューザの交換を行ったり、既存のソフトボックス等を面光源形成部として用いるなど使用用途が拡がる。
【考案を実施するための最良の形態】
【００１３】
以下、図面を参照して本考案の実施の形態を説明する。図１は実施の形態の撮影用照明装置の分解斜視図、図２は同撮影用照明装置の組立状態の斜視図、図３は同撮影用照明装置におけるフィルムホルダとカットフィルム（「カット」は「切り取る」の意。）の斜視図である。この実施の形態の照明装置は、「発光部」としての光源装置１、「面光源形成部」としてのソフトボックス２、本体枠３、フィルムホルダ４及びカットフィルム５を有している。なお、本体枠３、フィルムホルダ４及びカットフィルム５は「図柄形成部」を構成している。
【００１４】
光源装置１はエレクトロニックフラッシュ光（ストロボ光）により発光する。なお、この光源装置１はスタンドで保持して自立させるか、パンタグラフ等により撮影スタジオ等の天井から懸垂して保持される。
【００１５】
ソフトボックス２は、金属線材等で形成したフレームの周囲に布地２１を張り巡らして略四角錐状の形状に形成されたもであり、前面に矩形の開口部２ａが形成されている。この開口部２ａと対向する頂点側にも小開口部が形成されており、この小開口部を光源装置１の発光面１１の周囲に填め込むことで、図示しないネジ等により光源装置１に取り付けられる。布地２１は外側が黒色で内側が白色にされるとともに、開口部２ａには該開口部２ａを塞ぐように矩形のディフューザ（拡散板）２２が配設されている。なお、このディフューザ２２の内側にもディフューザを配設することもできる。
【００１６】
本体枠３は、ナイロン生地３１を張り合わせて略矩形の枠状に形成されたもである。ナイロン生地３１は、表面が例えば黒色生地で、光を透過させないように裏面に白色またはアルミコーティングを施したものである。そして、ナイロン生地３１は周囲４箇所の側面部３１１と、矩形の開口３１２ａを有する前面枠部３１２と、該前面枠部３１２の裏面に配置され矩形の開口３１３ａを有する裏枠部３１３と、及び裏枠部３１３の上辺に連結された蓋部３１４とで構成されている。前面枠部３１２の上端と蓋部３１４の先端には、それぞれ２箇所に面ファスナ３１５が付着されている。なお、本体枠３の生地は、生地自体が光を透過しにくいものであればよい。
【００１７】
本体枠３の背面側の４箇所の角部には取付用紐３２が取り付けられており、この取付用紐３２を、ソフトボックス２の前面側の４箇所の角部（フレーム）に括り付けることにより、本体枠３がソフトボックス２に取り付けられる。すなわち、この本体枠３は、ソフトボックス２の開口部２ａに被せることで、ソフトボックス２の形状に沿って取り付けるようになっている。なお、本体枠３及びソフトボックス２は、その矩形（例えば開口部２ａ）の大きさは、０．５ｍ角前後〜１ｍ角前後程度の大きさである。
【００１８】
フィルムホルダ４は、本体枠３の前面矩形部分より僅かに小さな第１透明ポリカーボ板４１と、この第１透明ポリカーボ板４１より小さな第２透明ポリカーボ板４２と、第１透明ポリカーボ板４１の外周に嵌合されたフレームレール４３とで構成されている。そして、第２透明ポリカーボ板４２は第１透明ポリカーボ板４１の上辺において、この第１透明ポリカー板４１と共にフレームレール４３で挟まれることにより取り付けられている。また、第１透明ポリカーボ板４１の第２ポリカーボ板４２側の面には、数カ所に黒色の丸シール４４が取り付けられている。
【００１９】
カットフィルム５は、透明ＰＥＴ樹脂を基材とした写真製版用フィルムであり、図柄５１（この例では星形図柄）のパターンを白抜きとしたモノクロームの画像として形成されている。すなわち、図柄５１の部分は透明ＰＥＴ樹脂を基材そのものの透光部であり、図柄５１の周囲の部分は現像により黒くされた遮光部である。なお、周知のように写真製版用フィルム（例えばリスフィルム）は中間調（グレー）が現れないような現像特性を有しており、この実施形態におけるカットフィルム５の上記遮光部は殆ど光を透過しない。
【００２０】
以上の構成により、カットフィルム５をフィルムホルダ４の第１透明ポリカーボ板４１と第２透明ポリカーボ板４２との間に挟み、このカットフィルム５の図柄５１の取り付け位置を丸シール４４を目安にして位置決めする。これにより、カットフィルム５は第１透明ポリカーボ板４１と第２透明ポリカーボ板４２とに挟まれてフィルムホルダ４に取り付けられる。なお、丸シール４４は撮影時に写り込まないように黒色となっている。次に、このカットフィルム５を取り付けたフィルムホルダ４を、本体枠３の前面枠部３１２と裏枠部３１３との上部から、その間を通して挿入し、蓋部３１４を前面枠部３１２側に折り曲げ、面ファスナ３１５で固定する。また、本体枠３を前記取付用紐３２によりソフトボックス２の前面に取り付ける。
【００２１】
光源装置１を点灯すると、ソフトボックス２によって拡散され、開口部２ａに配設されているディフューザ２２が拡散光により発光する。すなわちこのディフューザ２２が「面光源」を構成する。そして、カットフィルム５の図柄５１の部分を通してディフューザ２２の拡散光が見える。なお、ディフューザ２２は拡散光で発光するので、当然にこのディフューザ２２を何れの方向から見込んでも図柄５１が発光して見える。なお、このディフューザ２２の拡散作用は光源装置１の光を分散していることになる。
【００２２】
このように構成された実施形態の照明装置を撮影に使うときは、人物の瞳に他の光源が写り込まないような状況にして、本体枠３側を人物の主に顔に向けて光源装置１を点灯する。これにより、人物の瞳孔及び虹彩の部分（すなわち黒目の部分）に発光した図柄５１が写り込み、例えば写真カメラで撮影する、目の部分に図柄５１が写り込んだ写真が得られる。なお、この場合、光源装置１の発光はシャッタと同期させることはいうまでもない。勿論、ビデオカメラ、テレビカメラ、映画カメラ等で撮影する場合も同様であり、光源装置１は後述のように定常光でライティングするものでもよい。
【００２３】
ところで、ディフューザ２２で構成される「面光源」は、前述のようにその大きさが０．５ｍ角前後〜１ｍ角前後程度であり、人の眼球及び眼球面の曲率半径よりもかなり大きなサイズである。したがって、小さな眼球面においても前記図柄５１はその形状を視認できる程度に写り込む。なお、前述の特許文献２のようなカメラ内蔵のフラッシュ装置では、その発光部分は「面光源」とは言えず、本考案における「面光源」とはこのような小さな光源を排除するものである。
【００２４】
このように、本考案においては面光源とその前面に配置された図柄により、撮影時に十分に演出効果を高めることができる。
【００２５】
また、実施の形態の照明装置は、本体枠３がナイロン生地３１という軽量な部材で構成されているので、持ち運びも容易であり、かつ前記取付用紐３２という簡単な構成によりソフトボックス２に取り付けることができ、好適な例となっている。
【００２６】
以上の実施の形態では、「発光部」としての光源装置１がエレクトロニックフラッシュ光（ストロボ光）を用いている例について説明したが、この「発光部」としてハロゲンライト、蛍光灯灯具、白熱灯などその他の光源としてもよい。
【００２７】
また、以上の実施の形態では、フィルムホルダ４に対してカットフィルム５が着脱自在となっているが、これらの部材は一体になっていてもよい。また、フィルムホルダ４を本体枠３に対して着脱自在となっているので、図柄の取り替えが容易であり、また、多くの図柄を使用する場合も薄型のカットフィルム５を用意すればよいので、かさばることがないという効果もある。
【００２８】
上記のように本体枠３に対してカットフィルム５を着脱自在とするとよいが、これに限定されるものではない。例えば図４あるいは図５のように構成することもできる。図４の例は「図柄形成部材」としてカットディフューザ６を用いたものである。カットディフューザ６は、金属線材等で形成したフレームの周囲に被覆材６を張り巡らして略矩形の筺状に形成されている。被覆材６１の材質は、例えば布や透明樹脂シートであり星形の図柄６２を白抜きにして黒一色で印刷したものである。この図柄６２の部分は透光性を有する透光部であり、図柄６２の周囲は遮光性を有する遮光部である。そして、カットディフューザ６は周囲の取付用紐６３によりソフトボックス２の前面の面光源に取り付ける。
【００２９】
また、図５の例は、ソフトボックス２として開口部２ａの周囲の内面に面テープ２３が取り付けられたものを用い、この開口部２ａ内に「図柄形成部材」として矩形のカットディフューザ７を填め込むものである。カットディフューザ７の周囲には面テープ７１が取り付けられており、面テープ７１，２３により固定する。カットディフューザ７は、例えば光拡散性を有する乳白色の半透明樹脂シートに、星形の図柄７２を白抜きにして黒一色で印刷したものである。この例では、ソフトボックス２にはディフューザは配設されていないが、光源装置１からの光がソフトボックス２の内面で反射して開口部２ａから出射することにより、この開口部２ａ自体が「面光源」を構成している。また、カットディフューザ７の図柄７２は光を散乱する効果を有しているが、この散乱光も該図柄７２を透過する。すなわち、このカットディフューザ７の図柄７２も透光性を有している「透光部」に相当し、この図柄７２の周囲は遮光性を有する「遮光部」である。
【００３０】
実施の形態では図柄５１，６２，７２が星形の例について示したが、ハート型、など各種の図柄を適用できる。
【図面の簡単な説明】
【００３１】
【図１】本考案の実施の形態の撮影用照明装置の分解斜視図である。
【図２】同撮影用照明装置の組立状態の斜視図である。
【図３】同撮影用照明装置におけるフィルムホルダとカットフィルムの斜視図である。
【図４】本考案の他の実施の形態を示す図である。
【図５】本考案のさらに他の実施の形態を示す図である。
【符号の説明】
【００３２】
１        光源装置（発光部）
１１      発光面
２        ソフトボックス（光拡散部）
２ａ      開口部
２２      ディフューザ
３        本体枠（図柄形成部）
３１２    前面枠部
３１２ａ  開口
３２      取付用紐
４        フィルムホルダ（図柄形成部）
５        カットフィルム（図柄形成部）
５１      図柄
６        カットディフューザ（図柄形成部）
６２      図柄
７        カットディフューザ（図柄形成部）
７２      図柄
【図１】
0003125316.tif 000003
【図２】
0003125316.tif 000004
【図３】
0003125316.tif 000005
【図４】
0003125316.tif 000006
【図５】
0003125316.tif 000007